【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
粒子分類領域を含むミクロ流体装置であって、
前記粒子分類領域は、
第１のミクロ流体流路と、
前記第１のミクロ流体流路の第１の側に沿って延在する第２のミクロ流体流路と、
前記第１のミクロ流体流路を前記第２のミクロ流体流路から分離する島の第１のアレイとを含み、前記第１のアレイにおける各島は、前記第１のアレイにおける隣接する島から、前記第１のミクロ流体流路を前記第２のミクロ流体流路に流体結合する開口によって分離され、前記粒子分類領域はさらに、
前記第１のミクロ流体流路の第２の側に沿って延在する第３のミクロ流体流路を含み、前記第２の側は前記第１のミクロ流体流路の前記第１の側の反対側であり、前記粒子分類領域はさらに、
前記第１のミクロ流体流路を前記第３のミクロ流体流路から分離する島の第２のアレイを含み、前記第２のアレイにおける各島は、前記第２のアレイにおける隣接する島から、前記第１のミクロ流体流路を前記第３のミクロ流体流路に流体結合する開口によって分離され、
前記第１のミクロ流体流路、前記第２のミクロ流体流路、および島の前記第１のアレイは、前記ミクロ流体装置の動作中、前記第１のミクロ流体流路における流体サンプルからの流体の一部が前記第１のアレイを通って前記第２のミクロ流体流路に入るように、前記第２のミクロ流体流路の流体抵抗が前記第１のミクロ流体流路の流体抵抗に対して前記粒子分類領域の長手方向に沿って減少するように配置され、
前記第１のミクロ流体流路、前記第３のミクロ流体流路、および島の前記第２のアレイは、前記ミクロ流体装置の動作中、前記第３のミクロ流体流路における流体サンプルからの流体の一部が前記第２のアレイを通って前記第１のミクロ流体流路に入るように、前記第３のミクロ流体流路の流体抵抗が前記第１のミクロ流体流路の流体抵抗に対して前記粒子分類領域の前記長手方向に沿って増加するように配置され、
ここにおいて、前記第１のミクロ流体流路の流体抵抗に対する前記第２のミクロ流体流路の流体抵抗の減少は、前記粒子分類領域の前記長手方向に沿った前記第２のミクロ流体流路の増加する断面積の関数であり、ミクロ流体流路の境界は、装置壁と島の壁とによって規定され、前記第１のミクロ流体流路の幅は、前記長手方向に沿って実質的に一定である、ミクロ流体装置。
【請求項２】
前記第１のアレイにおける島間の隙間の断面積は、前記長手方向に沿って増加し、前記第１のアレイにおける各隙間の断面積は、前記隙間を通る流体流を横切る平面に沿って規定される、請求項１に記載のミクロ流体装置。
【請求項３】
前記第１のミクロ流体流路の流体抵抗に対する前記第３のミクロ流体流路の流体抵抗の増加は、前記粒子分類領域の前記長手方向に沿った前記第３のミクロ流体流路の減少する断面積の関数である、請求項１に記載のミクロ流体装置。
【請求項４】
前記第１のミクロ流体流路の幅は、前記長手方向に沿って実質的に一定である、請求項３に記載のミクロ流体装置。
【請求項５】
前記第２のアレイにおける島間の隙間の断面積は、前記長手方向に沿って増加し、前記第２のアレイにおける各隙間の断面積は、前記隙間を通る流体流を横切る平面に沿って規定される、請求項１に記載のミクロ流体装置。
【請求項６】
第１の入口流路と、
第２の入口流路とをさらに含み、
前記第１の入口流路および前記第２の入口流路の各々は、前記粒子分類領域に流体結合される、請求項１に記載のミクロ流体装置。
【請求項７】
ミクロ流体装置において流体サンプル間で粒子を移動させる方法であって、前記方法は、
複数の第１のタイプの粒子を含む第１の流体サンプルを前記ミクロ流体装置の粒子分類領域に流すステップを含み、
前記粒子分類領域は、第１のミクロ流体流路と、前記第１のミクロ流体流路の第１の側に沿って延在する第２のミクロ流体流路と、前記第１のミクロ流体流路を前記第２のミクロ流体流路から分離する島の第１のアレイと、前記第１のミクロ流体流路の第２の側に沿って延在する第３のミクロ流体流路と、前記第１のミクロ流体流路を前記第３のミクロ流体流路から分離する島の第２のアレイとを含み、
前記第２の側は前記第１のミクロ流体流路の前記第１の側の反対側であり、前記第１のアレイにおける各島は、前記第１のアレイにおける隣接する島から、前記第１のミクロ流体流路を前記第２のミクロ流体流路に流体結合する開口によって分離され、前記第２のアレイにおける各島は、前記第２のアレイにおける隣接する島から、前記第１のミクロ流体流路を前記第３のミクロ流体流路に流体結合する開口によって分離され、前記方法はさらに、
第２の流体サンプルを前記粒子分類領域に流すステップを含み、
前記第１の流体サンプルの一部が前記第１のミクロ流体流路から前記第１のアレイにおける島間の開口を通って前記第２のミクロ流体流路に入るように、前記第２のミクロ流体流路の流体抵抗が前記第１のミクロ流体流路の流体抵抗に対して前記粒子分類領域の長手方向に沿って変化し、前記第１のミクロ流体流路の流体抵抗に対する前記第２のミクロ流体流路の流体抵抗の変化は、前記長手方向に沿った前記第２のミクロ流体流路の断面積の増加を含み、
ここにおいて、前記第２の流体サンプルの一部が前記第３のミクロ流体流路から前記第２のアレイにおける島間の開口を通って前記第１のミクロ流体流路に入るように、前記第３のミクロ流体流路の流体抵抗が前記第１のミクロ流体流路の流体抵抗に対して前記粒子分類領域の前記長手方向に沿って変化し、前記第１のミクロ流体流路の流体抵抗に対する前記第３のミクロ流体流路の流体抵抗の変化は、前記長手方向に沿った前記第３のミクロ流体流路の断面積の増加を含み、
ここにおいて、前記第１のミクロ流体流路、前記第２のミクロ流体流路、および島の前記第１のアレイはさらに、前記複数の前記第１のタイプの粒子が前記第１のアレイの前記開口を通る前記第１の流体サンプルの一部とともに伝搬することを実質的に防止する慣性揚力を生成するように配置される、方法。
【請求項８】
前記第１の流体サンプルは前記第１のミクロ流体流路に送出され、前記第２の流体サンプルは前記第３のミクロ流体流路に送出される、請求項７に記載の方法。
【請求項９】
前記慣性揚力は、前記複数の前記第１のタイプの粒子が前記第１のミクロ流体流路内で前記第１の流体サンプルから前記第２の流体サンプルに移送されるように、前記複数の前記第１のタイプの粒子を流体流線を越えて移動させる、請求項７に記載の方法。
【請求項１０】
前記第１の流体サンプルは複数の第２のタイプの粒子を含み、前記複数の前記第２のタイプの粒子は、前記第２のミクロ流体流路に入る前記第１の流体サンプルの流体部分とともに伝搬する、請求項７に記載の方法。
【請求項１１】
前記第１のタイプの粒子は、前記第２のタイプの粒子よりも大きい、請求項１０に記載の方法。
【請求項１２】
前記第１の流体サンプルは、前記第２の流体サンプルとは異なる流体を含む、請求項７に記載の方法。
【請求項１３】
前記第１のミクロ流体流路内の前記第１のタイプの粒子の濃度が実質的に一定のままであるように、前記第１のミクロ流体流路から前記第２のミクロ流体流路に入る前記第１の流体サンプルの量は、前記第３のミクロ流体流路から前記第１のミクロ流体流路に入る前記第２の流体サンプルの量と実質的に同じである、請求項７に記載の方法。